(57)【要約】  カートンは、頂部壁（１６）と、前記頂部壁（１６）の両側部端縁に接続された一対の対向する側部壁（１４，１８）と、カートンの上方コーナーを画成するために前記両側部壁（１４，１８）同士を連結する端部壁（３０ｂ，３２ｂ）と、を含む複数の壁を含んでいる。カートンはまた、カートンから物品（Ｃ）を分配するための物品ディスペンサー（Ｄ）を含んでいる。ディスペンサーはカートンの分離可能部分（Ｔ）を含み、これは、頂部壁（１６）と側部壁（１４，１８）と端部壁（３０ｂ，３２ｂ）とから形成され、かつ、頂部壁と側部壁と端部壁とに分離可能に接続されており、カートンから分離されて、取り出しのために末端の物品を露出させるための開口部（Ｏ）を画成するようになっている。分離可能部分（Ｔ）は、傾斜位置でカートンを支持するため、カートンの下方部分に係合するためのヒールを画成するように適合されている。
2006521255.tif 000002
【特許請求の範囲】
【請求項１】
カートンであって、
頂部壁と、前記頂部壁の側縁部に接続された一対の対向する側部壁と、該カートンの上方コーナーを画成するために前記側部壁を連結する端部壁と、を含む複数の壁と、
該カートンから物品を分配するための物品ディスペンサーと、
を備え、
前記ディスペンサーは、前記頂部、側部及び端部壁から形成された該カートンの分離可能部分を含み、
前記分離可能部分は、取り出しのために少なくとも末端の物品を露出させるための開口部を画成するため、分離可能接続部によって該カートンから分離されるように前記頂部、側部及び端部壁に接続され、
少なくとも１つの前記側部壁は、前記分離可能接続部に沿って前記分離可能部分を分離するため、ユーザーの横断引き裂き動作を容易にするための引き裂き開始機構を備えていることを特徴とするカートン。
【請求項２】
請求項１に記載のカートンにおいて、
前記分離可能部分の分離可能接続部は、前記開口部の縁部を画成するための接合部の切り取り線を備え、
前記切り取り線は、前記少なくとも１つの側部壁の前記引き裂き開始機構から前記頂部及び端部壁に延びていることを特徴とするカートン。
【請求項３】
請求項２に記載のカートンにおいて、
前記引き裂き開始機構は、前記少なくとも１つの側部壁から形成されて、指孔を画成するために内方側に変位可能な、折り曲げ可能に接続されたフラップを備えていることを特徴とするカートン。
【請求項４】
請求項３に記載のカートンにおいて、
前記指孔の縁部は、ユーザーが前記分離可能部分の縁部をつかむことができるようにするため、前記切り取り線によって設けられていることを特徴とするカートン。
【請求項５】
請求項４に記載のカートンにおいて、
前記横断引き裂き動作中に前記分離可能部分をつかむときに、ユーザーの指にサポートを提供するため、前記頂部壁と前記端部壁との間に斜角コーナーパネルをさらに備えていることを特徴とするカートン。
【請求項６】
カートンであって、
頂部壁と、前記頂部壁の側縁部に接続された一対の対向する側部壁と、該カートンの前方端部を設けるために前記側部壁を連結する端部壁と、を含む複数の壁と、
該カートンから物品を分配するために、該カートンの前記前方端部に設けられる物品ディスペンサーと、
を備え、
前記ディスペンサーは、取り出しのために少なくとも末端の物品を露出させるための開口部を含み、
前記開口部は、前記頂部、側部及び端部壁から形成された該カートンの一部を取り除くことによって設けられ、
該カートンは、該カートンの前記一部から形成されたヒールをさらに備え、
前記ヒールは、該カートンが前記前方端部の方へ傾斜する傾斜位置において該カートンを支持するため、該カートンの一部に係合されることを特徴とするカートン。
【請求項７】
請求項６に記載のカートンにおいて、
前記ヒールは、該カートンの後方端部に接続されることを特徴とするカートン。
【請求項８】
請求項７に記載のカートンにおいて、
前記ヒールは、前記頂部壁から形成された突出部分を備え、
前記突出部分は、前記ヒールを適所に保持するため、該カートンの前記後方端部に接続されることを特徴とするカートン。
【請求項９】
請求項８に記載のカートンにおいて、
前記後方端部は、前記側部壁の１つに折り曲げ可能に接続された端部壁パネルを備え、
前記突出部分は、前記端部壁パネルの内面に面接触する関係で、前記端部壁パネルの下に位置するように配置されることを特徴とするカートン。
【請求項１０】
請求項９に記載のカートンにおいて、
前記後方端部は、該カートンの基部壁に折り曲げ可能に接続されるとともに前記端部壁パネルの下に位置するように配置されたサポートフラップをさらに備え、
前記突出部分は、前記端部壁パネルと前記サポートフラップとの間に挿入されることを特徴とするカートン。
【請求項１１】
請求項１０に記載のカートンにおいて、
前記ヒールは、該ヒールの縁部が該カートンの前記基部壁に接するように位置することを特徴とするカートン。
【請求項１２】
請求項９に記載のカートンにおいて、
前記後方端部は、前記端部壁パネルに折り曲げ可能に接続されるとともに前記端部壁パネルから下方側に延びる係合フラップをさらに備え、
前記突出部分は、前記係合フラップの下に位置するように配置されることを特徴とするカートン。
【請求項１３】
請求項９に記載のカートンにおいて、
前記突出部分は、前記側部壁にそれぞれ係合する一対の対向する側縁部を備えていることを特徴とするカートン。
【請求項１４】
請求項６に記載のカートンにおいて、
前記ヒールは、傾斜したカートンに側方安定性を提供するため、該カートンの前記側部壁に接する１つ以上の側部パネルを備えていることを特徴とするカートン。
【請求項１５】
パッケージであって、
平行に並んだ状態で横に配置された円柱形物品の少なくとも１つの段で形成された物品グループと、
前記グループのまわりに配置されるカートンと、
を備え、
前記カートンは、頂部壁と、前記頂部壁の側縁部に接続された一対の対向する側部壁と、該カートンの上方コーナーを画成するために前記側部壁を連結する端部壁と、該カートンから前記物品を分配するための物品ディスペンサーと、を備え、
前記ディスペンサーは、前記頂部、側部及び端部壁から形成された前記カートンの分離可能部分を含み、
前記分離可能部分は、取り出しのために末端の物品を露出させるための開口部を画成するため、分離可能接続部によって前記カートンから分離されるように前記頂部、側部及び端部壁に分離可能に接続され、
少なくとも１つの前記側部壁は、前記分離可能接続部に沿って前記分離可能部分を分離するため、ユーザーの横断引き裂き動作を容易にするための引き裂き開始機構を備えていることを特徴とするパッケージ。
【請求項１６】
請求項１５に記載のパッケージにおいて、
ユーザーが前記分離可能部分内に位置する物品をつかむことができるようにするため、少なくとも前記端部壁に形成された引き裂きアシスト機構をさらに備え、
前記引き裂きアシスト機構は、前記端部壁から少なくとも部分的に形成されるとともに指孔を画成するために内方側に変位可能な、折り曲げ可能に接続されたフラップを備えていることを特徴とするパッケージ。
【請求項１７】
請求項１５に記載のパッケージにおいて、
前記カートンは、前記分離可能部分の分離のために前記分離可能部分がユーザーによってつかまれたときに、ユーザーの指のためのサポートを提供する斜角パネルをさらに備えていることを特徴とするパッケージ。
【請求項１８】
請求項１５に記載のパッケージにおいて、
前記分離可能接続部は、前記開口部の縁部を画成するための接合部の切り取り線を備え、
前記切り取り線は、前記少なくとも１つの側部壁の前記引き裂き開始機構から前記頂部及び端部壁に延びていることを特徴とするパッケージ。
【請求項１９】
請求項１８に記載のパッケージにおいて、
前記物品グループは、円柱形物品の垂直配列された２つ以上の段を備え、
各段における前記物品は、平行に並んだ状態で横に配置され、
前記切り取り線は、最下段の末端の物品の両端部を横切るように配置されていることを特徴とするパッケージ。
【請求項２０】
請求項１９に記載のパッケージにおいて、
前記引き裂き開始機構は、前記少なくとも１つの側部壁から形成されて、指孔を画成するために内方側に変位可能な、折り曲げ可能に接続されたフラップを備えていることを特徴とするパッケージ。
【請求項２１】
請求項２０に記載のパッケージにおいて、
前記物品グループは、円柱形物品の垂直配列された２つの段を備え、
前記引き裂き開始機構の位置は、好ましくは、前記端部壁の隣の２つの末端の物品と２つの隣接する物品とを含む４つの端部物品の中央の空間に位置合わせされていることを特徴とするパッケージ。
【請求項２２】
パッケージであって、
平行に並んだ状態で横に配置された円柱形物品の少なくとも２つの段で形成された物品グループと、
前記グループのまわりに配置されるカートンと、
を備え、
前記カートンは、頂部壁と、前記頂部壁の側縁部に接続された一対の対向する側部壁と、該カートンの上方コーナーを画成するために前記側部壁を連結する端部壁と、該カートンから前記物品を分配するための物品ディスペンサーと、を備え、
前記ディスペンサーは、前記頂部、側部及び端部壁から形成された前記カートンの分離可能部分を含み、
前記分離可能部分は、取り出しのために末端の物品を露出させるための開口部を画成するため、切り取り線に沿って前記カートンから分離されるように前記頂部、側部及び端部壁に分離可能に接続され、
前記頂部壁における前記切り取り線の一部は、前記切り取り線の一部の望ましくない破断を緩和するため、最上段における２番目の末端の物品の上に位置するように配置されていることを特徴とするパッケージ。
【発明の詳細な説明】
【技術分野】
【０００１】
本発明は、カートンに関するものであり、より詳しくは、個々の物品の拘束された取り出しのためのディスペンサーを有する、複数の物品のためのカートンに関するものである。特に本発明は、物品へのアクセスを改善するように適合されたカートンに関し、そして、カートンのコーナーの横断引き裂き動作によって形成されるディスペンサーに関するものである。
【背景技術】
【０００２】
複数の物品を入れるためのカートンは、消費者が清涼飲料あるいは他の飲料のような個々の物品の望ましい量を得るとともに搬送することができるようにするのに役立つ。そのような物品のマルチパックが得られた場合、消費者は、しばしばカートンから一度に１つの物品を取り出すことを望む。したがって、カートンから一度に１つの物品を取り出すことを容易にするディスペンサー付きのカートンが望ましいことが理解されうる。
【発明の開示】
【発明が解決しようとする課題】
【０００３】
カートンに収容された物品が円柱形であってそれらがカートン内に横に配置されている場合、１つの物品を取り出したときに残りの物品がディスペンサーから転がり出ないように物品を拘束することは重要である。また、物品が容易にアクセスされる状態をディスペンサーが提供することも重要である。さらに、多くの場合、個々の物品をカートンから取り出したときに、いくつの物品がカートン内に残っているかを決定できるようにしておくことが望ましい。したがって、１つの物品を取り出したときに残りの物品がカートンから望ましくなく転がったり出たりすることのないように、残りの物品を拘束するディスペンサー付きのカートンが望ましいことがさらに理解されうる。また、物品へのアクセスを容易にするディスペンサー付きのカートンが望ましいことも理解されうる。さらに、個々の物品を取り出したときに、いくつの物品がカートン内に残っているかを決定するのを容易にするディスペンサー付きのカートンが望ましいことが理解されうる。
【０００４】
類似の周知のカートンに関連するさらなる問題は、ユーザーがディスペンサーから最も遠く離れた物品をつかむことに困難性を有することがあり得ることである。本発明及びその好ましい実施例は、従来技術の問題を克服しようとする、あるいは少なくとも緩和しようとするものである。
【課題を解決するための手段】
【０００５】
本発明の第１の特色は、頂部壁と、頂部壁の側縁部に接続された一対の対向する側部壁と、カートンの前方壁を設けるために側部壁を連結する端部壁と、を含む複数の壁を備えたカートンを提供する。カートンは、カートンから物品を分配するため、カートンの前方端部に物品ディスペンサーをさらに備えている。ディスペンサーは、取り出しのために末端の物品を露出させるための開口部を含んでいる。開口部は、頂部、側部及び端部壁から形成されたカートンの一部を取り除くことによって設けられる。カートンはまた、カートンから分離された一部から形成されるヒールをさらに備えている。ヒールは、カートンの前方端部へカートンが傾斜した傾斜位置においてカートンを支持するため、カートンの一部に係合される。
【０００６】
好ましい実施例において、ヒールは、頂部壁から形成された突出部分を備えている。ヒールの突出部分は、ヒールを適所に保持するため、カートンの後方端部に係合する。後方端部は、側部壁の１つに折り曲げ可能に接続された端部壁パネルを含んでいてもよく、突出部分は、端部壁パネルの下に位置するように配置されてもよい。後方端部は、端部壁パネルの下に位置するようにカートンの基部壁に折り曲げ可能に接続されたサポートフラップをさらに含んでいてもよい。この機構において、突出部分は、端部壁パネルとサポートフラップとの間に挿入されてもよい。端部壁パネルは、それに折り曲げ可能に接続されるとともにそこから下方側に延びる係合フラップを含んでいてもよい。
【０００７】
ヒールは、ヒールの縁部がカートンの基部壁に接するように位置してもよい。突出部分は、カートンの側部壁のそれぞれに係合する一対の対向する短い側縁部を含んでいてもよい。
【０００８】
好ましくは、ヒールは、傾斜したカートンに側方安定性を提供するため、カートンの側部壁に接する１つ以上の側部パネルを備えている。
【０００９】
本発明の第２の特色は、頂部壁と、頂部壁の側縁部に接続された一対の対向する側部壁と、カートンの上方コーナーを画成するために側部壁を連結する端部壁と、を含む複数の壁と；カートンから物品を分配するための物品ディスペンサーと；を備えたカートンを提供する。ディスペンサーは、頂部、側部及び端部壁から形成されたカートンの分離可能部分を含んでいる。分離可能部分は、取り出しのために末端の物品を露出させるための開口部を画成するため、カートンから分離されるように、頂部、側部及び端部壁に分離可能に接続されている。この特色のカートンは、分離可能部分をつかむための引き裂き開始機構をさらに備えている。引き裂き開始機構は、分離可能部分の横断引き裂き動作を容易にするため、１つ以上の側部壁に形成されている。
【００１０】
好ましい実施例において、分離可能部分の分離可能接続部は、開口部の縁部を画成するための接合部の切り取り線を備えている。引き裂き開始機構は、指孔を画成するために内方側に変位可能な、折り曲げ可能に接続されたフラップを備えていてもよい。指孔の縁部は、ユーザーが分離可能部分の縁部をつかむことができるようにするため、接合部の切り取り線によって設けられていてもよい。
【００１１】
横断引き裂き動作中に分離可能部分がつかまれるときに、ユーザーの指にサポートを提供するため、頂部壁と端部壁との間に斜角コーナーパネルをさらに備えていてもよい。
【００１２】
本発明の第３の特色は、平行に並んだ状態で横に配置された円柱形物品の少なくとも１つの段で形成された物品グループと、グループのまわりに配置されるカートンと、を備えたパッケージを提供する。カートンは、頂部壁と、頂部壁の側縁部に接続された一対の対向する側部壁と、カートンの上方コーナーを画成するために側部壁を連結する端部壁と、カートンから物品を分配するための物品ディスペンサーと、を備えている。ディスペンサーは、頂部、側部及び端部壁から形成されたカートンの分離可能部分を含んでいる。分離可能部分は、取り出しのために末端の物品を露出させるための開口部を画成するため、カートンから分離されるように、頂部、側部及び端部壁に分離可能に接続されている。この特色において、カートンは、分離可能部分をつかむための引き裂き開始機構をさらに備えている。引き裂き開始機構は、分離可能部分の横断引き裂き動作を容易にするために、１つ以上の側部壁に形成されている。
【００１３】
カートンは、ユーザーが分離可能部分内に位置する物品をつかむことができるようにするため、少なくとも端部壁に形成された引き裂きアシスト機構をさらに備えていてもよい。引き裂きアシスト機構は、指孔を画成するために内方側に変位可能な、折り曲げ可能に接続されたフラップを含んでいてもよい。
【００１４】
カートンは、分離可能部分の横断引き裂き動作中、及び／または、カートンからの物品の取り出し及び分離可能部分の取り除き中、分離可能部分がユーザーによってつかまれたときに、ユーザーの指のためのサポートを提供する斜角コーナーパネルをさらに備えていてもよい。
【００１５】
分離可能部分の分離可能接続部は、開口部の縁部を画成するための接合部の切り取り線を備えていてもよい。
【００１６】
物品グループは、円柱形物品の垂直配列された２つ以上の段を備えていてもよい。各段の物品は、平行に並んだ状態で横に配置されていてもよく、また、切り取り線は、最下段の末端の物品の両端部を横切るように配置されていてもよい。
【００１７】
以下、本発明の代表的な実施例を、添付の図面を参照しつつ単なる例示のみとして説明する。
【発明を実施するための最良の形態】
【００１８】
図面を参照すると、カートン内に収容された物品を分配するためのディスペンサーをそれぞれ有するカートンと、カートンを形成するためのブランクとが示されている。ブランク及びカートンは、切断線及び折り曲げ線が加えられた、ボール紙や例えばプラスチック材料などの他の折り曲げ可能なシート材料から形成されている。カートンは、例えば缶あるいはボトルとされる１つ以上の物品を保持するため、及び、物品を分配するために使用される。例えばディスペンサーあるいはヒール構造を設けるために２つ以上のブランクを用いてもよいことが想定されるが、示された実施例では、以下でより詳細に説明されるように、単一ブランクは単一のカートンを製造するために使用される。
【００１９】
まず図１を参照すると、ディスペンサー付きカートンを形成するためのブランク１０が示されている。ブランク１０は、折り曲げ線２２，２４，２６及び２８に沿って、隣接するもの同士が直列的にそれぞれ折り曲げ可能に接続された、第１の基部壁パネル１２と第１の側部壁パネル１４と頂部壁１６と第２の側部壁パネル１８と第２の基部壁パネル２０とを直列的に備えている。
【００２０】
それぞれの長手方向の縁部に沿って、カートンの端部壁を形成するための一連の端部壁パネル及びフラップを備えている。各端部壁は同一であり、したがって同様の参照符号が接辞「ａ」あるいは「ｂ」と一緒に使用されている。したがって、１つの端部壁のみがより詳細に説明されるであろう。
【００２１】
後方端部壁（つまり図１における左方端部）は、折り曲げ線３４ａに沿って第１の側部壁パネル１４に折り曲げ可能に接続された第１の端部壁パネル３０ａと、折り曲げ線３６ａに沿って第２の側部壁パネル１８に折り曲げ可能に接続された第２の端部壁パネル３２ａとを備えている。さらに、折り曲げ線４２ａ，３９ａ及び４６ａに沿って第１の基部壁パネル１２、頂部壁パネル１６及び第２の基部壁パネル２０にそれぞれ折り曲げ可能に接続されたサポートフラップ４０ａ，３８ａ及び４４ａを備えている。使用中、サポートフラップ４０ａ，３８ａ及び４４ａは、それぞれの端部壁パネル３０ａ及び３２ａに係合してこれらを支持する。
【００２２】
実施例の１つの分類では、頂部壁及び端部壁の間、及び／または、基部壁及び端部壁の間に斜角パネルをさらに備えており、図１では、端部サポートフラップ４０ａ及び基部壁パネル１２の中間に位置して、これらに折り曲げ線４２ａ及び５２ａに沿って折り曲げ可能に接続された斜角パネル５０ａを備えている。斜角パネルの第２の部分は、第２の基部壁パネル２０及び端部サポートフラップ４４ａに折り曲げ線４６ａ及び５６ａに沿って折り曲げ可能に接続されたパネル５４ａによって設けられる。好ましくは、折り曲げ線３９ａ及び６０ａに沿って頂部壁パネル１６と端部サポートフラップ３８ａとを折り曲げ可能に連結する第２の斜角パネル５８ａをさらに備えている。
【００２３】
図１の実施例では、反対側の端部が、基部壁及び端部壁の間のみに画成された斜角パネル５０ｂ，５４ｂを備えている。
【００２４】
ディスペンサーＤは、ブランクの一方の端部に形成されており、この実施例では、端部壁、対向する両側部壁１４及び１８、及び頂部壁パネル１６のそれぞれから形成された複数のパネルによって設けられている。使用中、トラフＴ（図２及び３）は、図３に示されるディスペンサーＤを形成するために、側部壁、端部壁、及び対向する側部壁のコーナー部分から分離可能である。
【００２５】
トラフＴの構造を説明するために図１に戻ると、端部壁パネル３０ｂから形成されたパネル６５ａと、側部壁パネル１４、頂部壁パネル１６、及び第２の側部壁パネル１８のそれぞれから形成されたパネル６２，６４，６６とを含む一連のパネルを備えている。パネル６５ｂは、端部壁パネル３２ｂから形成されている。トラフＴを形成するパネルは、接合部の弱化線あるいは切り取り線６８によって、側部壁パネル、頂部壁パネル、及び端部壁パネルのそれぞれに切り取り可能に接続されている。切り取り線６８は、以下でより詳細に説明される開口部Ｏ（図３）を画成するための形状である。この実施例では、トラフＴをつかむため、指突き抜け機構Ｓ１，Ｓ２の形をなす１つ以上の引き裂き開始手段を備えている。好ましくは、指突き抜け機構は、各側部壁パネルから切り出され、いずれの側部壁パネルにおいても開始される横断引き裂き動作を使用することによって、トラフＴがカートンから変位されるようにする。
【００２６】
各指突き抜け機構Ｓ１，Ｓ２は略同一であり、したがって機構Ｓ１のみを説明する。突き抜け機構Ｓ１は、折り曲げ線７６ｂ，７４ｂに沿って第２の側部壁パネル１８にそれぞれ折り曲げ可能に接続された第１のパネル７０ｂ及び第２のパネル７２ｂを備えている。各パネル７０ｂ，７２ｂは、切断線７８によって分離されており、ユーザーがトラフをつかむため、また任意にはトラフ内に位置する物品をつかむため、使用中にパネル７０ｂ及び７２ｂが内方側に押し込まれる。
【００２７】
図３に示されるように、ユーザーが、物品ＣをつかんでそれをトラフＴと一緒に外方側へ引き出し、カートンから物品（及びトラフＴ）を取り出すことができるようにするため、追加のあるいは第２の指突き抜け機構Ｓ３，Ｓ４の形をなす引き裂きアシスト手段をさらに備えていてもよい。この実施例では、第２の指突き抜け機構Ｓ３，Ｓ４は、端部壁とそれぞれの側部壁パネル１８，１４との間のコーナーを形成する折り曲げ線３６ｂ，３４ｂにまたがって配置されている。第２の突き抜け機構Ｓ３あるいはＳ４は、ユーザーがトラフ内に位置する物品をつかむことを容易にするため、隣接する第１の突き抜け機構Ｓ１あるいはＳ２とともに使用されてもよい。例えば、ユーザーの左手の親指が、前方端部壁を押し下げるために突き抜け機構Ｓ３に押しつけられる一方、ユーザーの左手の人差し指が突き抜け機構Ｓ１を通して挿入されるようにしてもよい。この手段によって、ユーザーは物品の左方端部を容易につかむことができる。
【００２８】
指突き抜け機構Ｓ４は、折り曲げ線９１ａ，９３ａに沿って端部壁パネルにそれぞれ折り曲げ可能に接続されるとともに折り曲げ線９７ａ，９５ａに沿って側部壁パネルにそれぞれ折り曲げ可能に接続された第１及び第２のパネル９２ａ，９４ａを備えている。第１及び第２のパネル９２ａ，９４ａは、パネル９２ａ，９４ａが平面状態からたわむことができるように、切断線９０ａによって互いに分離されている。
【００２９】
ユーザーがカートンを運ぶことができるようにするために、ブランクは適切な周知のハンドルＨをさらに備えていることが図１に見られるであろう。
【００３０】
完成した携行器をブランクから形成するためには、一連の連続した折り曲げ及び接着動作が必要とされ、これを説明する。折り曲げ及び接着動作は、１つ以上の直線機械で実行することができ、トレイは、その構造を完成するために回転されたりひっくり返されたりすることが必要ではない。折り曲げ工程は、以下の説明に限定されず、特定の製造要求に応じて変えることができる。
【００３１】
図１のブランクから図２に示された組み立てカートンを構成するため、第１の側部壁パネル１４を、頂部壁パネル１６上に平坦に位置させるように、折り曲げ線２４に沿って内方側に折り曲げる。接着剤を、第１の基部壁パネル１２とサポートフラップ４０ａ，４０ｂとに塗布し、それから、第２の基部壁パネル２０を、第１の基部壁パネル１２上に平坦に位置させるように、折り曲げ線２８に沿って内方側に折り曲げる。これは、第１及び第２の基部壁パネル１２，２０を互いに接着し、サポートフラップ４０ａ，４４ａを互いに接触し、サポートフラップ４０ｂ，４４ｂを互いに接着することを意味する。このようにして、平坦な筒状カートンを提供する。
【００３２】
平坦な筒状カートンを、開口端部を有する筒状形に拡げる。例えば缶Ｃである物品を、カートンの一方または両方の開口端部を通して詰め込み、カートンの両端部を閉じるために両端部壁を形成する。各端部壁は略同一であるため、後方端部壁を以下で説明する。
【００３３】
まず、サポートフラップ４０ａ，３８ａ及び４４ａを、折り曲げ線４２ａ，３９ａ及び４６ａに沿ってそれぞれ内方側に折り曲げる。その後、端部壁パネル３０ａ，３２ａを、折り曲げ線３４ａ及び３６ａに沿ってそれぞれ内方側に続けて折り曲げ、それらを接着剤あるいは他の適切な固定手段によって互いに固定する。好ましくは、端部壁に追加のサポートを提供するため、サポートパネルをパネル３０ａ及び３２ａの内面にも固定する。反対側の端部壁は同様に構成されているため、詳細には説明しない。したがって、カートンが、組み立てカートンを示す図２のように、完成されかつ閉じた状態となる。
【００３４】
トラフＴは、ディスペンサーＤを形成するために分離可能であるように、カートンの端部と一体的に形成されている。ユーザーは、指突き抜け機構Ｓ１あるいはＳ２を通して指を押し込んで側部壁上のトラフＴの尖端に係合させることによって、トラフＴをつかみ、そして、横断引き裂き動作を使用して、切り取り線６８に沿ってカートンからトラフＴを切り離す。カートンからトラフＴを取り除くあるいは分離することによって、カートンの端部が、物品のための分配開口部Ｏを提供するように露出する。対向する両側部壁パネル上に設けられた突き抜け機構Ｓ１，Ｓ２を有していることの１つの利点は、右利きあるいは左利きのいずれの人でも、カートンを容易に開けることができることである。
【００３５】
第２の指突き抜け機構Ｓ３，Ｓ４の有無にかかわらないそれらの実施例では、消費者が、トラフＴを切り離すときにトラフＴだけではなく物品をつかんでもよい。このようにして、物品Ｃが開口部Ｏを通してアクセス可能となる。
【００３６】
トラフＴが分離されると、それぞれの端部壁の下方部分が、側部壁パネル１４及び１８の間の全長にわたって延びるストッパ壁を形成する。ストッパ壁８５の上方縁部は、底部壁１２／２０よりも上に例えば缶「Ｃ」の直径未満とされる最大距離で離間する切り取り線６８によって画成されている。ストッパ壁８５（図２）はそれ自体により、下段の缶が取り出される前に不注意にカートンを出るのを防止することができ、カートンの内容物は、開口部Ｏを通して容易に見られる。
【００３７】
各側部壁パネルに形成された切り取り線６８の一部は、下段における末端の缶「Ｃ」の隣接する端部を横切って延びるような形状とされており、図３に示されるように末端の缶「Ｃ」の両端部を部分的に露出させ、ユーザーがその缶を両端部によって容易につかむことができるようにする。ストッパ壁８５の上方縁部８１の曲率は、缶の両端部の露出領域を増大させるために役立つ。頂部側の末端の缶（トラフＴ内の「Ｃ」）が上段から取り出された後、上段における残りの缶Ｃは、下段の缶の間の空間に入り込むことになる。このような缶の入り込みは、周知の技術であって示されていない。本発明は、表面にあるいは冷蔵庫やパントリーのようなコンパートメント内に配置されうる有用な分配カートンとして機能する。
【００３８】
各指突き抜け機構の位置は、好ましくは、４つの端部缶の中央、つまりカートンの前方端部における２つの末端の缶及び２つの隣接する缶の中央の空間に位置合わせされている。この機構は、トラフＴの取り除きを容易にするだけではなく、缶がカートンから飛び出したり排出されたりすることを防止するのに役立つ。それが「飛び出し缶」防止器となりえる理由は、消費者が、その人差し指あるいは中指を突き抜け機構を通して挿入することにより、上段における末端の缶を保持することができ、かつ、引き裂き線６８を分断するためのツールとして末端の缶を使用することができるからである。この場合、トラフＴが分離されるまで末端の缶が消費者によって保持され、したがって、缶がカートンから排出されない。
【００３９】
本発明の第２の実施例は、図４〜１０に示されており、ディスペンサー付きカートンを形成するためのブランク１１０を備え、該ブランクは、ボール紙や同様の折り曲げ可能なシート材料から形成されている。使用中、カートンは、物品の分配を改善するために傾斜した向きで配置されるように適合されている。ブランクは第１の実施例に類似しており、同様の参照符号が接頭辞「１」と一緒に使用されている。ブランク１１０は、折り曲げ線１２２，１２４，１２６及び１２８に沿って、隣接するもの同士が直列的にそれぞれ折り曲げ可能に接続された、第１の基部壁パネル１１２と第１の側部壁パネル１１４と頂部壁パネル１１６と第２の側部壁パネル１１８と第２の基部壁パネル１２０とを直列的に備えている。
【００４０】
それぞれの長手方向の縁部に沿って、カートンの端部壁を形成するための一連の端部壁パネル及びフラップを備えている。それぞれの端部壁は同一であり、したがって同様の参照符号が接辞「ａ」あるいは「ｂ」と一緒に使用されている。したがって、１つの端部のみがより詳細に説明されるであろう。
【００４１】
後方端部壁（つまり図４における左方端部壁）は、折り曲げ線１３４ａに沿って第１の側部壁パネル１１４に折り曲げ可能に接続された第１の端部壁パネル１３０ａと、折り曲げ線１３６ａに沿って第２の側部壁パネル１１８に折り曲げ可能に接続された第２の端部壁パネル１３２ａとを備えている。さらに、折り曲げ線１４２ａ，１３９ａ及び１４６ａに沿って第１の基部壁パネル１１２、頂部壁パネル１１６及び第２の基部壁パネル１２０にそれぞれ折り曲げ可能に接続されたサポートフラップ１４０ａ，１３８ａ及び１４４ａを備えている。使用中、サポートフラップ１４０ａ，１３８ａ及び１４４ａは、それぞれの端部壁パネル１３０ａ及び１３２ａに係合してこれらを支持する。
【００４２】
ある実施例では、頂部壁パネル及び端部壁の間、及び／または、基部壁パネル及び端部壁の間に斜角パネルが設けられており、この実施例では、端部サポートフラップ１４０ａ及び基部壁パネル１１２の中間に位置して、これらに折り曲げ線１４２ａ及び１５２ａに沿って折り曲げ可能に接続された第１の斜角パネル１５０ａを備えている。第１の斜角パネルの第２の部分は、第２の基部壁パネル１２０及び端部サポートフラップ１４４ａに折り曲げ線１４６ａ及び１５６ａに沿って折り曲げ可能に接続されたパネル１５４ａによって設けられる。好ましくは、折り曲げ線１３９ａ及び１６０ａに沿って頂部壁パネル１１６と端部サポートフラップ１３８ａとを折り曲げ可能に連結する第２の斜角パネル１５８ａをさらに備えている。
【００４３】
図４の実施例では、反対側の端部が、頂部壁パネル１１６とそれぞれの端部壁との間に画成された斜角パネル１５８ｂと、基部壁パネル１１２／１２０と端部壁との間の他の斜角パネル１５０ｂ及び１５４ｂとを備えている。斜角パネル１５８ｂは、図６に示されるように、分離可能部分（つまりトラフＬ）をつかむユーザーに対してサポートを提供する。
【００４４】
ディスペンサーＤは、ブランクの一方の端部に形成されており、この実施例では、端部壁パネル１３０ｂ，１３２ｂ、対向する両側部壁パネル１１４，１１８、及び頂部壁パネル１１６から形成された複数のパネルによって設けられている。使用中、トラフＬ（つまり分離可能部分）は、図７に示されるディスペンサーＤを形成するために、側部壁パネル、端部壁パネル、及び対向する側部壁パネルのコーナー部分から取り除かれる。
【００４５】
トラフＬの詳細な構造を説明するために図４に戻ると、それぞれの端部壁パネル１３０ｂから形成されたパネル１６５ａと、側部壁パネル１１４、頂部壁パネル１１６及び第２の側部壁パネル１１８からそれぞれ形成されたパネル１６２，１６４，１６６と、端部壁パネル１３２ｂから形成されたパネル１６５ｂとを含む一連のパネルを備えている。トラフＬを形成するパネルは、接合部の弱化線あるいは切り取り線１６８によって、側部壁パネル、頂部壁パネル、及び端部壁パネルのそれぞれに切り取り可能に接続されている。切り取り線１６８は、第１の実施例の形状とは異なる開口部Ｏを画成するための形状である。より詳しくは、頂部壁パネル１１６における切り取り線１６８のＶ字形状の部分は、上段の缶の見え方を改善するディスペンサー開口部Ｏをもたらす。切り取り線１６８のこのＶ字形状の部分はまた、上段における２番目の末端の物品上に位置するように配置され、また、末端の物品と隣接する内側の物品との間の空間上に位置しないように配置されているため有利である。この機構は、カートンの運搬、収容、及び／またはハンドリング中に、頂部壁パネル１１６における引き裂き線１６８の一部の望ましくない破損あるいは破断を防止するか、あるいは少なくとも緩和する。
【００４６】
端部壁パネル１３０ｂ，１３２ｂにおける切り取り線１６８の一部（図５及び６）は、物品Ｃの直径よりも高い高さに達するように湾曲している。異なるところを述べると、端部壁パネル１３０ｂ，１３２ｂ内の切り取り線１６８に沿った最も高いポイントが、頂部壁パネル１１６からの距離よりも基部壁パネル１１２／１２０からの距離が大きくなるように配置されている。
この機構は、以下の３つの利点を提供する。
（１）大きなサイズの前部グラフィック領域、
（２）トラフＬの取り除き中にも壊れて開きそうにない、端部壁パネル１３０ｂ，１３２ｂ間の、より長くより強い製造合わせ目１８７（図７）、
（３）トラフＬの取り出しと同時及びその後において、カートン内の上段の物品Ｃを保持することができる大きなサイズの前方ストッパ壁１８５（図７）。
大きなサイズの前方ストッパ壁１８５はまた、ユーザーが（上段における）末端の物品Ｃをカートンから一旦取り出した後にカートン内へ戻して配置することを望んだ場合に有用である。（缶のような）末端の物品Ｃは、２番目の末端の物品とストッパ壁１８５との間の空間に、その側部が下となるように配置されてもよい。あるいは、図１０に示されるように、末端の物品Ｃは、隣接するあるいは２番目の末端の物品に対して載置されるのと同時に、ストッパ壁１８５の頂部上に、その底部が下となるように配置されてもよい。カートン内にパッケージされた物品が凹んだ底部を有する缶である場合、ストッパ壁１８５の上方縁部は、末端の缶の凹んだ底部にぴったりと嵌まり込むように、適切な曲率半径を有して、アーチ形にされるかあるいは上方側に凸状に湾曲していることが好ましい。そのような機構は、ストッパ壁１８５上の缶の安定性を高める。
【００４７】
各側部壁パネル１１４，１１８に形成された切り取り線１６８の一部は、図７に示されるように、下段における末端の物品Ｃの隣接する端部を横切って延びるような形状とされており、末端の缶Ｃの両端部を部分的に露出させ、ユーザーが両端部によって缶を容易につかむことができるようにする。切り取り線１６８と折り曲げ線１３４ｂあるいは１３６ｂとの交差部１６１（図４及び５）は、もし頂部及び基部壁パネル１１６及び１１２／１２０間の中間ポイントでないならば、頂部壁パネル１１６からの距離よりも基部壁パネル１１２／１２０からの距離が大きくなるように配置されていることが好ましい。この機構は、下段における末端の缶Ｃの一部が見えるように露出することを許容するのと同時に、ストッパ壁１８５の剛性を増大させるのに役立つ。
【００４８】
この実施例では、トラフＬをつかむための１つ以上の指突き抜け機構Ｓ１’，Ｓ２’を備えている。好ましくは、指突き抜け機構が、横断引き裂き動作を使用してトラフＬがカートンから変位されるように、各側部壁パネルから切り出されている。各指突き抜け機構Ｓ１’，Ｓ２’は、上述の図１に示されたものと略同一であり、したがって詳細には説明しない。
【００４９】
ユーザーがカートンを運ぶことができるようにするため、ブランクは適切な周知のハンドルＨ１をさらに備えていることが図４に見られるであろう。
【００５０】
図４のブランクから図５に示された組み立てカートンを構成するため、第１の実施例に類似するカートン形成方法を使用してもよい。第１の側部壁パネル１１４を、頂部壁パネル１１６上に平坦に位置させるように、折り曲げ線１２４に沿って内方側に折り曲げる。接着剤を、第１の基部壁パネル１１２とサポートフラップ１４２ａ，１４２ｂとに塗布し、それから、第２の基部壁パネル１２０を、第１の基部壁パネル１１２上に平坦に位置させるように、折り曲げ線１２８に沿って内方側に折り曲げる。これは、複合基部壁を形成するために第１及び第２の基部壁パネル１１２，１２０を互いに接着し、複合サポートフラップを形成するためにサポートフラップ１４０ａ，１４４ａを互いに接着し、複合サポートフラップを形成するためにサポートフラップ１４０ｂ，１４４ｂを互いに接着することを意味する。このようにして、平坦な筒状カートンを提供する。
【００５１】
平坦な筒状カートンを、開口端部を有する筒状形に拡げる。例えば缶Ｃである物品を、カートンの一方または両方の開口端部を通して詰め込み、カートンの端部を閉じるために両端部壁を形成する。各端部壁は略同一であるため、後方端部壁を以下で説明する。
【００５２】
まず、サポートフラップ１４０ａ，１３８ａ及び１４４ａを、折り曲げ線１４２ａ，１３９ａ及び１４６ａに沿ってそれぞれ内方側に折り曲げる。その後、端部壁パネル１３０ａ，１３２ａを、折り曲げ線１３４ａ及び１３６ａに沿ってそれぞれ内方側に続けて折り曲げ、それらを接着剤あるいは他の適切な固定手段によって互いに固定する。好ましくは、端部壁に追加のサポートを提供するため、サポートパネルを端部壁パネル１３０ａ及び１３２ａの内面にも固定する。反対側の端部壁つまり前方端部壁は同様に構成されいるため、詳細には説明しない。したがって、カートンが、組み立てカートンを示す図５のように、完成されかつ閉じた状態となる。
【００５３】
トラフＬは、ディスペンサーＤを形成するために取り除かれるように、カートンの端部と一体的に形成されている（図７）。ユーザーは、指突き抜け機構Ｓ１’あるいはＳ２’のいずれかを通して指を押し込んでそれぞれの側部壁上のトラフＬの縁部に係合させることによって、トラフＬをつかみ、そして、横断引き裂き動作を使用して、切り取り線１６８に沿ってカートンからのトラフＬを切り離す。斜角パネル１５８ｂは、図６に示されるように、切り離し動作中にユーザーの親指を支持するために使用されることができる。カートンからトラフＬを取り除くことにより、図７に示されるように、カートンの端部は、物品のための分配開口部Ｏを提供するように露出する。このようにして、物品Ｃが開口部Ｏを通してアクセス可能となる。
【００５４】
図７に示されるように、トラフＬから物品Ｃを取り出すと、トラフはそれから、カートンを傾斜させてカートンの前方端部へ残りの物品を促すため、ヒールＬとして使用される。
【００５５】
これは、図８に示されるように、パネル１６４及び１６５間の交差部（つまりそれらの実施例では斜角パネル１５８ｂ）に形成されたコーナーが、ディスペンサーとは反対側の基部壁パネル及び後方端部壁によって画成されたカートンの下部後方コーナー部分を受け入れるための凹所Ｒを画成するために、最も低いポイントに位置するように、トラフＬを向けることによって達成される。
【００５６】
トラフＬはそれからカートンに係合される。この実施例において、これは、図８に示されるように、複合サポートフラップ１４０ａ／１４４ａと複合端部壁パネル１３０ａ／１３２ａとの間のギャップに、トラフＬの突出部分１８０を挿入することによって達成される。したがって、カートンの複合基部壁１１２／１２０が、トラフＬの複合パネル１６５ｂ／１６５ａ（図７及び１０）の縁部に接し、カートンの下部後方コーナーが、パネル１６４の内面に接し、それによって、（ディスペンサーを有する）前方端部に対して高さが高くなったカートンの後方端部にヒール部分を画成する。さらなるサポートを提供するため、パネル１６２，１６６は、カートンの側部壁パネル１１８，１１４と並置されるような形状とされ、それによって、追加の側方サポートをヒールＬに提供する。したがって、カートンは図９及び１０に示された傾斜位置となり、それによって、物品Ｃが、開口部を通してアクセス可能となり、カートン内に収容された物品へのアクセスの容易さを改善するために前方端部へ重力供給される。
【００５７】
本発明の第３の実施例が図１１〜１３に示されており、そのブランクは第２の実施例の類似し、したがって符号「１」を符号「２」に交換した同様の参照符号が使用されている。したがって、違いのみがより詳細に説明されるであろう。
【００５８】
図１１の実施例では、指突き抜け機構Ｓ１及びＳ２が、折り曲げ線２８９に沿ってパネル２６４に折り曲げ可能に接続されたハンドパネル２８７（つまり突出部分１８０の代替形状）で置き換えられているという点において、ディスペンサーを形成するためのトラフＴが異なっている。ハンドパネル２８７は、切り取り線２６８に沿って頂部パネル２１６に切り取り可能に接続されている。切り取り線２６８の形状は、ディスペンサー開口部Ｏ及びトラフＴの異なる形状を提供するように、第２の実施例とは異なっていることが見られるであろう。ヒールとして使用されるとき、この実施例のトラフＴはまた、カートンの底部壁のための傾斜を提供する。
【００５９】
この実施例では、後方サポートフラップ２４０ａ，２３８ａ，２４４ａが、以下でより詳細に説明されるように、端部壁の折り曲げ動作及び構造を改善するウェブパネル２４１ａによって、端部パネル２３０ａ，２３２ａに折り曲げ可能に接続されている。加えて、係合フラップ２８８が、カートンに対してヒールを係合するために設けられている。係合フラップ２８８は、折り曲げ線２８６に沿って端部壁パネル２３０ａに折り曲げ可能に接続されている。前方端部壁の構造は、前方壁が係合フラップ２８８を有していないことを除いて、後方端部壁と同一である。
【００６０】
図１１に示されたブランクの第３の実施例の構造に戻ると、基部壁、側部壁及び頂部壁パネルは、平坦な折り畳み筒状構造を形成するように、第２の実施例と同様に構成されて互いに固定される。したがって、前方及び後方端部壁は、同様に形成される。主な違いは、端部壁パネル２３０ａ，２３２ａを折り曲げ線２３４ａ，２３６ａに沿って外方側に折り曲げると、ウェブパネル２４１ａが内方側に折り曲げられて、サポートフラップ２４０ａ，２３８ａ及び２４４ａが、二重折り曲げ線２４２ａ，２５２ａ；２３９ａ，２６０ａ；２４６ａ，２５６ａに沿って自動的に内方側に折り曲げられることである。それから、端部壁パネル２３０ａ，２３２ａを内方側に折り曲げて互いに固定する。前方端部壁は、同様に形成されるが、カートンの後方端部では、係合フラップ２８８が好ましくは、接着剤あるいは従来技術において周知の他の適切な手段によって、サポートフラップ２４０ａ、あるいは、サポートフラップ２４０ａ及び２４４ａに固定される。物品をカートンに詰め込んだ後、カートンは、図１２で示される形でエンドユーザーに供給される。
【００６１】
ディスペンサーＤ（図１３）を形成するため、折り曲げ線２８９に沿った折り曲げによりハンドパネル２８７を内方側に押し込み、ユーザーがパネル２６４の一部をつかんでトラフＴを引き出し、ディスペンサー開口部Ｏを現すためにカートンの残りの部分からトラフを分離するようにして、トラフＴを取り除く。
【００６２】
ヒールを構成するため、トラフＴを図８に示された第２の実施例と同様に向け、それをカートンに係合させる。この実施例では、係合フラップ２８８をサポートフラップ２４０ａから分離させるか、あるいは剥がし、ヒールを保持するために、複合端部壁パネル２３０ａ／２３２ａと複合サポートフラップ２４０ａ／２４４ａとの間のギャップ内にハンドパネル２８７を挿入する。トラフＴの形状は、複合パネル２６５が垂直サイズにおいてより長くなっている点において第２の実施例とは異なり、カートンの基部壁に接するパネル２６５の自由縁部がカートンに沿ってさらに前方に位置することによって、より効果的に基部壁を補強する。
【００６３】
第４の実施例は、図１４，１５及び１６に示されており、また、図１４に示されたブランクは、図４に示された第２の実施例と略同一である。したがって、図１４に示されたブランク３１０の一部のみと、第２の実施例と第４の実施例との間の違いのみとを説明する。引き裂き線３６８は、引き裂き線がクランク状に曲げられた２つの部分３６９，３７１を含んでおり、一対の対向する短い側縁部Ｅを有したパネル３６４の突出部分３８０を設けるようにしている（図１５及び１６では１つのみが示されている）。図１５及び１６により詳細に示されているように、トラフあるいはヒールＬのパネル３６４の突出部分３８０を、複合端部壁パネル３３０ａ／３３２ａと複合サポートフラップ３４０ａ／３４４ａとの間のギャップ内に挿入したときに、短い側縁部Ｅが、側部壁パネル３１４，３１８の内面にそれぞれ係合する。この機構は、カートンに対してヒールＬを安定させる。図１４を参照すると、短い側縁部Ｅは、サポートフラップ３３８ｂの方へわずかにそれていることが好ましい。両側縁部Ｅ間の最大距離は、好ましくは、セットアップカートンの側部壁パネル３１４及び３１８間の距離と略等しいか、あるいはわずかに大きい。この機構は、くさび効果を提供し、ギャップへの突出部分３８０の挿入と同時に、ヒールＬをより安定させるように突出部分３８０がギャップ内にきつく嵌り込むことになる。
【００６４】
ここで使用された「頂部」、「基部」、「端部」、「側部」、「内側」、「外側」、「前方」、及び「後方」のような参照方向は、それぞれのパネルをそのような向きに限定するものではなく、これらのパネルを互いに区別するために機能するのみである。折り曲げ可能に接続された接続部に対する参照は、必ずしも単一の折り曲げ線のみを参照するものとして解釈されるべきではなく、実際には、折り曲げ可能に接続された接続部が、本発明の範囲から逸脱することなく、切り込み線、切り取り線、あるいは折り曲げ線のうちの１つ以上から形成可能であることが想定される。
【００６５】
本発明の範囲内において、様々な変更がなされてもよいことが理解されるべきであり、例えば、パネル及び孔のサイズ及び形状が異なるサイズあるいは形状の物品を収容するために調節されていてもよいし、代わりの頂部及び基部閉鎖構造が使用されていてもよい。カートンは、異なるアレイにおける複数の物品を収容してもよい。
【図面の簡単な説明】
【００６６】
【図１】本発明の第１の実施例によるディスペンサー付きカートンを形成するためのブランクの平面図である。
【図２】図１に示されたブランクから形成されるカートンを示す斜視図である。
【図３】ディスペンサー開口部を現すために取り除かれた分離可能コーナー部分とともにカートンを示す斜視図である。
【図４】ディスペンサーを有するカートンを形成するためのブランクの第２の実施例を示す平面図である。
【図５】図４に示されたブランクから形成されるカートンを示す斜視図である。
【図６】図５で示されたカートンのディスペンサー開口部を形成するための、分離可能部分の取り除きを示す斜視図である。
【図７】図５に示されたカートンのディスペンサー開口部を形成するための、分離可能部分の取り除きを示す斜視図である。
【図８】図５に示されたカートンのヒールの構造を示す斜視図である。
【図９】図５に示されたカートンのヒールの構造を示す斜視図である。
【図１０】図５に示されたカートンのヒールの構造を示す斜視図である。
【図１１】ディスペンサー付きカートンを形成するためのブランクの第３の実施例を示す平面図である。
【図１２】図１１に示されたブランクから形成されるカートンを示す斜視図である。
【図１３】ヒールを使用した位置での図１２に示されたカートンを示す斜視図である。
【図１４】カートンを形成するための図４〜１０に示された第２の実施例に類似する第５のブランクの一部を示す拡大部分平面図である。
【図１５】図１４に示されたブランクの部分から形成されたカートンを傾斜させるヒールの構造を示す斜視図である。
【図１６】図１５に示されたカートンに接するヒールの拡大斜視図である。
【符号の説明】
【００６７】
１０  ブランク
１２，２０  基部壁パネル
１４，１８  側部壁パネル
１６  頂部壁パネル
３０ａ，３０ｂ，３２ａ，３２ｂ  端部壁パネル
３８ａ，３８ｂ，４０ａ，４０ｂ，４４ａ，４４ｂ  サポートフラップ
５０ａ，５０ｂ，５４ａ，５４ｂ，５８ａ  斜角パネル
６８  切り取り線
８０  突出部分
８５  ストッパ壁
Ｃ  缶
Ｄ  ディスペンサー
Ｅ  側縁部
Ｌ  ヒール
Ｏ  開口部
Ｓ１，Ｓ２，Ｓ３，Ｓ４  指突き抜け機構
Ｔ  トラフ
【図１】
2006521255.tif 000003
【図２】
2006521255.tif 000004
【図３】
2006521255.tif 000005
【図４】
2006521255.tif 000006
【図５】
2006521255.tif 000007
【図６】
2006521255.tif 000008
【図７】
2006521255.tif 000009
【図８】
2006521255.tif 000010
【図９】
2006521255.tif 000011
【図１０】
2006521255.tif 000012
【図１１】
2006521255.tif 000013
【図１２】
2006521255.tif 000014
【図１３】
2006521255.tif 000015
【図１４】
2006521255.tif 000016
【図１５】
2006521255.tif 000017
【図１６】
2006521255.tif 000018
【国際調査報告】
2006521255.tif 000019
2006521255.tif 000020
2006521255.tif 000021
2006521255.tif 000022